(57)【要約】【課題】  他の機器と接続する為に電子機器のキャビネット正面、背面又は側面等に設けているジャックをアースする金具であって、ジャック間隔が小さな場合であっても取付けることが出来、しかも外れない取付け構造とし、一方、ジャック筒部が嵌るアース金具の穴との隙間を小さくしてシールド効果を向上させることが出来るジャック用アース金具の提供。【解決手段】  正面板１にはジャック筒部９ａ，９ｂ，９ｃが嵌るジャック穴２ａ，２ｂ，２ｃを形成し、該正面板１の上縁又は下縁から後方へ接触片３ａ，３ｂ，３ｃを延ばすと共に該接触片にはジャック本体１０ａ，１０ｂ，１０ｃの一部を切欠いた接触部１１ａ，１１ｂ，１１ｃに接触する接触凸部４ａ，４ｂ，４ｃを設けている。そしてジャック筒部９ａ，９ｂ，９ｃを被覆するジャック本体１０ａ，１０ｂ，１０ｃに設けている係止部１２ａ，１２ｃに係止する係止片６ａ，６ｃを正面板１から後方へ屈曲して延ばした接触片３ａ，３ｂ，３ｃに形成している。【選択図】    図１
2005243474.tif 000002
【特許請求の範囲】
【請求項１】
他の機器と接続する為に電子機器のキャビネット正面、背面又は側面等に設けているジャックをアースする金具において、正面板に設けているジャック穴の少なくとも上方又は下方には切欠き部を形成し、該切欠き部底から細長い接触片を延ばすと共に、ジャック穴に嵌るジャック筒部に撓み変形して接触するようにジャック穴の内周より内側へ突出し、そしてジャック筒部を被覆するジャック本体に設けている係止部に係止する係止片を正面板から後方へ屈曲して延ばしたアームに形成したことを特徴とする電気機器のジャック用アース金具。
【請求項２】
他の機器と接続する為に電子機器のキャビネット正面、背面又は側面等に設けているジャックをアースする金具において、正面板にはジャック筒部が嵌るジャック穴を形成し、該正面板の上縁又は下縁から後方へ接触片を延ばすと共に該接触片にはジャック本体の一部を切欠いた接触部に接触する接触凸部を設け、そしてジャック筒部を被覆するジャック本体に設けている係止部に係止する係止片を正面板から後方へ屈曲して延ばした部材に形成したことを特徴とする電気機器のジャック用アース金具。
【請求項３】
上記係止片を正面板両側の接触片から外方向へ突出して形成した請求項２記載の電気機器のジャック用アース金具。
【請求項４】
他の機器と接続する為に電子機器のキャビネット正面、背面又は側面等に設けているジャックをアースする金具を備えた電気機器において、アース金具の正面板に設けているジャック穴の少なくとも上方又は下方には切欠き部を形成し、該切欠き部底から細長い接触片を延ばすと共に、ジャック穴に嵌るジャック筒部に撓み変形して接触するようにジャック穴の内周より内側へ突出し、正面板から後方へ屈曲してアームを延ばすと共に係止片を形成し、そしてジャック筒部を被覆するジャック本体に設けている係止部に上記係止片を係止してアース金具をジャックに取付けたことを特徴とする電気機器。
【請求項５】
他の機器と接続する為に電子機器のキャビネット正面、背面又は側面等に設けているジャックをアースする金具を備えた電気機器において、アース金具の正面板に形成したジャック穴にジャック筒部を嵌め、該正面板の上縁又は下縁から後方へ接触片を延ばすと共に該接触片には接触凸部を設けてジャック本体を切欠いて設けた接触部に接触させ、そして正面板から後方へ屈曲して部材を延ばすと共に係止片を形成し、ジャック筒部を被覆するジャック本体に設けている係止部に上記係止片を係止してアース金具をジャックに取付けたことを特徴とする電気機器。
【請求項６】
上記係止片を正面板両側の接触片から外方向へ突出して形成した請求項５記載の電気機器。
【発明の詳細な説明】
【技術分野】
【０００１】
本発明は電子機器のキャビネットに形成した穴からプラグを接続することが出来るようにしたジャックのアース金具及び該アース金具を備えた電気機器に関するものである。
【背景技術】
【０００２】
図８に示すように、電子機器のフロントパネル又はリヤパネルには外部の電子機器との接続を行う為のジャックが備わっている。同図の(ａ)はフロントパネルにジャックを設けている場合、(ｂ)はリヤパネルにジャックを設けている場合を示している。フロントパネルに設ける場合には、映像入力ジャック(ヌ)、音声入力ジャック用左右ジャック(ル)、(オ)、Ｓ端子用ジャック(ワ)が取付けられている。
【０００３】
一方、リヤパネルに設ける場合には、映像入力ジャック(ヌ)、音声入力ジャック用左右ジャック(ル)、(オ)、Ｓ端子用ジャック(ワ)、及びアンテナ用入出力ジャック(カ)、(ヨ)が夫々設けられている。電磁波の障害対策として該ジャックはアースされている。このアース構造には色々あるが、一般的な構造としてはジャックハウジング筒部の外周に金具を嵌合し、該金具を介してリヤパネルと接続させた構造と成っている。
【０００４】
特開平１１−１２１１０５号に係る「アース金具付きジャック」は、図９(ａ)に示すように、アース金具(イ)に内側板バネ(ロ)と外側板バネ(ハ)を設け、アース金具(イ)はジャックと端子パネル(ニ)の間に挟みこまれ、内側板バネ(ロ)はジャック筒部(ホ)と接触し、外側板バネ(ハ)は端子パネル(ニ)と接触する構造と成っている。このアース構造では、ジャック筒部(ホ)とアース金具(イ)の穴との隙間(リ)が大きくて、アース金具によるシールド効果が十分でない。そして、上記穴の内周面の上下左右には内側板バネ(ロ)、(ロ)・・が設けられる為に、ジャックの配列間隔が大きくなり、電子機器の小型化を阻害することになる。
【０００５】
又特開平６−７６８８５号に係る「電子機器」は図９(ｂ)に示しているように、アース金具(イ)に第１の当接部(ヘ)と第２の当接部(ト)を設け、アース金具はジャックと端子パネル(ニ)との間に挟みこまれ、そして第１の当接部(ヘ)は端子パネル(ニ)の内面に接触し、第２の当接部(ト)はジャック筒部(ホ)のグランドに接する構造と成っている。このアース金具は第１の当接部(ヘ)と第２の当接部(ト)を有す３次元の立体形状を成している為に、その製作が面倒であると共に、配列する複数のジャックに対応可能なアース金具とすることが容易でなく、個々のジャックごとに取付けなくてはならない。
【０００６】
さらに、実用新案登録第３０９５０００号に係る「ＲＣＡジャックとリヤパネルとの電波漏れ防止構造」は図９(ｃ)に示すように、ジャックにグランド端子に接続したアース金具(イ)を設け、端子パネル(ニ)にはツメ(チ)を設けている。そして、ジャックを端子パネル(ニ)にビス締めすると、端子パネル(ニ)のツメ(チ)がジャックのアース金具に接する構造と成っている。このアース構造では端子パネル(ニ)にツメ(チ)を設けなくてはならない。
【０００７】
このようにアース金具を用いることで、ジャックは端子パネルと接触してアースされている。ところが、上記端子パネル(リヤパネル)が樹脂製パネルのように導電性のパネルでない場合にはアースをとることは出来ない。電気機器のキャビネットのリヤパネルは金属製パネルとすることが多いが、フロントパネルはそのデザイン上樹脂製パネルが使用される。従って、正面側にジャックを設ける場合には上記アース構造では問題がある。
【０００８】
このように、電磁波の障害対策として該ジャックはアースされているが、このアース金具の形態は色々あってジャックハウジング筒部の外周に嵌合し、該アース金具を介してリヤパネルと接続した構造と成っている。しかし、アース金具がジャック筒部に正しく嵌って取付けられなくては、接触不良が原因でアースできない場合が発生する。
【特許文献１】特開平１１−１２１１０５号に係る「アース金具付きジャック」
【特許文献２】特開平６−７６８８５号に係る「電子機器」
【特許文献３】実用新案登録第３０９５０００号に係る「ＲＣＡジャックとリヤパネルとの電波漏れ防止構造」
【発明の開示】
【発明が解決しようとする課題】
【０００９】
このように、従来の電子機器のアース構造には上記のごとき問題がある。本発明が解決しようとする課題はこの問題点であり、樹脂製のパネルにジャックの筒部が嵌っている場合であっても、又ジャック間隔が小さな場合であっても取付けることが出来、しかも外れない取付け構造とし、一方、ジャック筒部が嵌るアース金具の穴との隙間を小さくしてシールド効果を向上させることが出来るジャックのアース金具及びアース金具を備えた電気機器を提供する。
【課題を解決するための手段】
【００１０】
本発明に係るアース金具は、金属製の正面板にジャック筒部が嵌る複数のジャック穴を形成し、ジャック筒部とジャック穴との隙間を小さくしてシールド効果を向上している。そして、本発明ではジャック筒部に取付けたアース金具が外れないように、係止片を設けている。該係止片は正面板の両側に垂直に屈曲して形成され、ジャック筒を被覆して形成されるジャック本体に設けた係止部に係止することが出来る。ここで、係止片及び係止部の形態は限定しないことにする。
【００１１】
ところで、アース金具にはジャック穴の上方又は下方の少なくとも一方側を切欠いて切欠き部を設け、そして該切欠き部の底から接触片をジャック穴方向へ延ばしている。そして接触片はジャック穴内周より内側へ突出し、ジャック穴に嵌入するジャック筒部に撓み変形して接することが出来る。アース金具はジャックと接触片を介して接続され、キャビネットパネルが樹脂製などの非導電性材質から成る場合であっても、アース金具を下方へ延ばして金属製シャーシに接続した構造とされる。
【００１２】
一方、金属製の正面板に貫通して設けたジャック穴の位置に接触片を上縁又は下縁から屈曲して延ばし、該接触片には接触凸部を形成することも出来る。接触凸部はジャック筒部と連通する接触部に接触させるように、接触片は薄くて撓み変形可能な金属板と成っている。該接触部はジャック本体の一部を切欠いて形成している。
【発明の効果】
【００１３】
本発明に係るアース金具はその正面板にジャック筒部が嵌るジャック穴を形成し、該ジャック穴の少なくとも上方又は下方に切欠き部を形成し、該切欠き部底からは接触片を延ばした形態を成している。そこで、ジャック筒部がジャック穴に嵌入するならば、ジャック穴の内周より内側へ突出している接触片は、適当に撓み変形して金属製のジャック筒部に接することが出来る。
【００１４】
ここで、キャビネットのパネルが金属製であるならば、上記接触片をジャック筒部及びパネル面に接触させることでアースすることが出来るが、該パネルが非導電性であるならば、そのアース金具にアース接続部を設けシャーシに接続させることでアースすることが出来る。
【００１５】
本発明のジャック用アース金具では、正面板に形成したジャック穴にジャック筒部が嵌入されるが、該ジャック穴との隙間は小さくして外からの電磁波の侵入を防止している。このように、ジャック穴とジャック筒部間の隙間が小さく成っているが、上下方向に切り欠いた切欠き部の底から接触片を延ばしている為に、該接触片の長さは長く、ジャック筒部に撓み変形して接することが出来、接触不良と成ることはない。又、切欠き部及び接触片は上下方向に設けられる為に、ジャック穴の間隔(ピッチ)は小さくすることが出来、その為に基板に取付けられるジャック間隔が小さくなって電子機器を小型化できる。
【００１６】
一方、正面板から後方へ屈曲して接触片を設け、該接触片に凸部を形成した場合、該凸部は接触片のバネ性にてジャック筒部に連通すると共にジャック本体を切欠いて形成した接触部に接触することが出来る。そして、本発明のアース金具には係止片が設けられ、該係止片はジャック本体に設けている係止部に係止することが出来る為に、アース金具は外れることなく安定して取付けられる。従って、接触片がジャックから離れて接触不良を引き起こすこともない。
【実施例】
【００１７】
図１は本発明に係るアース金具を示す実施例であり、(ａ)は正面側斜視図、(ｂ)は背面側斜視図をそれぞれ表している。該アース金具は薄い導電性の金属板を切断・曲げ成形して製作したものであり、正面板１にはジャック筒部が嵌るジャック穴２ａ，２ｂ，２ｃを貫通して設け、正面板１の上縁であってジャック穴２ａ，２ｂ，２ｃの位置には接触片３ａ，３ｂ，３ｃを後方へ延ばしている。そして、各接触片３ａ，３ｂ，３ｃには下方へ突出する接触凸部４ａ，４ｂ，４ｃを有し、又正面板１の下側にはアース接続部５を設けている。
【００１８】
上記接触片３ａ，３ｂ，３ｃは両側と中央に設けているが、両側の接触片３ａ，３ｃには外方向へ突出する係止片６ａ，６ｃを形成している。図２は基板７に取着されているジャック８ａ，８ｂ，８ｃであり、該ジャック８ａ，８ｂ，８ｃは金属製ジャック筒部９ａ，９ｂ，９ｃと樹脂製のジャック本体１０ａ，１０ｂ，１０ｃから成り、ジャック本体１０ａ，１０ｂ，１０ｃはジャック筒部９ａ，９ｂ，９ｃの基部側を被覆し、ジャック本体１０ａ，１０ｂ，１０ｃの中央を切欠いて金属製の接触部１１ａ，１１ｂ，１１ｃを有し、接触部１１ａ，１１ｂ，１１ｃは上記ジャック筒部９ａ，９ｂ，９ｃと接続している。
【００１９】
そして、樹脂製のジャック本体１０ａ，１０ｂ，１０ｃの上面の両コーナーには係止部１２ａ，１２ａ，１２ｂ，１２ｂ・・を突出していて、このジャック８ａ，８ｂ，８ｃに上記図１に示した本発明のアース金具が取付けられ、正面板１お呼び接触片３ａ，３ｂ，３ｃにて電磁波を遮蔽すると共に、シャーシへ導く為にアースされる。
【００２０】
図３(ａ)はジャック８ａ，８ｂ，８ｃに本発明のアース金具を取付けた場合の平面図であり、同図(ｂ)はアース金具をジャック８ａ，８ｂ，８ｃに取付ける場合を示している。すなわち、正面板１に設けているジャック穴２ａ，２ｂ，２ｃにジャック筒部９ａ，９ｂ，９ｃが嵌入するように取付けられる。図４はアース金具をジャック８に取付ける場合の側面図であり、矢印方向へ移動することでジャック筒部９がジャック穴２に嵌る。
【００２１】
図５(ａ)はアース金具を取付けた場合の側面図を示し、図５(ｂ)はアース金具を取付けた場合の断面図を表している。アース金具の接触片３には接触凸部４が設けられ、この接触凸部４はジャック本体１０の一部を切欠いて設けた接触部１１に接触することが出来る。すなわち、アース金具の接触片３は薄くて撓み変形可能なバネ性があって、ジャック筒部９がジャック穴２に嵌って取付けられることで、該接触凸部４は接触部１１に接し、離れることはない。
【００２２】
ところで、本発明のアース金具は図３(ａ)に示すようにジャック８ａ，８ｂ，８ｃに取付けられることになるが、両係止片６ａ，６ｃはジャック本体１０ａ，１０ｃに突出して設けている係止部１２ａ，１２ｃに係止して取付けられ、独りでに外れることはなく、しかも接触片３ａ，３ｂ，３ｃに形成した接触凸部４ａ，４ｂ，４ｃは接触部１１ａ，１１ｂ，１１ｃに安定して接することが出来る。
【００２３】
図６は本発明に係るアース金具を示す他の実施例である。該アース金具は概略四角形の正面板１と両アーム１３，１３を後方へ延ばし、アーム先端には係止片１４，１４を下方へ突出して形成している。そして正面板１の下方にはアース接続部１５を設けている。正面板１にはジャック穴２ａ，２ｂ，２ｃ、及びＳ端子用ジャックのジャック穴１６が設けられている。そして、これらジャック穴２ａ，２ｂ，２ｃの上下には接触片１７ａ，１７ａ，１７ｂ，１７ｂ，１７ｃ，１７ｃが形成されている。
【００２４】
図７はジャック穴２ａ，２ｂ，２ｃの拡大図を表している。各ジャック穴２ａ，２ｂ，２ｃはピッチＰを有して配列され、ジャック穴２ａ，２ｂ，２ｃの上方及び下方には切欠き部１８ａ，１８ａ，１８ｂ、１８ｂ、１８ｃ、１８ｃを形成し、該切欠き部１８ａ，１８ａ，１８ｂ，１８ｂ，１８ｃ，１８ｃの底から接触片１７ａ，１７ａ，１７ｂ，１７ｂ，１７ｃ，１７ｃがジャック穴２ａ，２ｂ，２ｃの中心側へ延びている。そして、接触片１７ａ，１７ａ，１７ｂ，１７ｂ，１７ｃ，１７ｃの先端は円形のジャック穴２ａ、２ｂ、２ｃの内周１９ａ，１９ｂ，１９ｃより内側へ突出し、該ジャック穴２ａ，２ｂ，２ｃに嵌るジャック筒部９ａ，９ｂ，９ｃの外周面に撓み変形して接することが出来る。
【００２５】
上記接触片１７ａ，１７ａ，１７ｂ，１７ｂ，１７ｃ，１７ｃは切欠き部１８ａ，１８ａ，１８ｂ，１８ｂ，１８ｃ，１８ｃの底から延びている為にその長さＬは長く成り、ジャック穴２ａ，２ｂ，２ｃに嵌るジャック筒部９ａ，９ｂ，９ｃに接触する際には撓み変形し、接触不良となることはない。すなわち、細くて長い接触片１７ａ，１７ａ，１７ｂ，１７ｂ，１７ｃ，１７ｃは、嵌るジャック筒部９ａ，９ｂ，９ｃの太さに応じて自由に撓み変形して接触することが可能である。そして、切欠き部１８ａ，１８ａ，１８ｂ，１８ｂ，１８ｃ，１８ｃの方向を上方と下方に設けることで、各ジャック穴２ａ，２ｂ，２ｃ間ピッチＰは小さく成り、ひいてはジャック８ａ，８ｂ，８ｃを小さなピッチＰにて配列可能となる。
【００２６】
一方、Ｓ端子用ジャックのジャック穴１６は上記ジャック穴２ａ，２ｂ，２ｃに比較して大きく、しかも接触片２０は下側に設けられている。該接触片２０の場合、下方へ大きく切込んだ切欠き部ではない為に、後方へ屈曲してジャック筒部に接触し易くしている。
【図面の簡単な説明】
【００２７】
【図１】本発明に係るアース金具を示す実施例。
【図２】基板に取付けたジャック。
【図３】(ａ)はジャックを取付けたアース金具の平面図、(ｂ)はジャックにアース金具を取付ける場合。
【図４】ジャックにアース金具を取付ける場合の平面図。
【図５】(ａ)はジャックを取付けたアース金具の側面図、(ｂ)はジャックにアース金具を取付けた断面図。
【図６】本発明のアース金具を示す他の実施例。
【図７】ジャック穴の拡大図。
【図８】ジャック端子を備えた電気機器。
【図９】従来の電気機器におけるアース構造。
【符号の説明】
【００２８】
１  正面板
２  ジャック穴
３  接触片
４  接触凸部
５  アース接続部
６  係止片
７  基板
８  ジャック
９  ジャック筒部
10  ジャック本体
11  接触部
12  係止部
13  アーム
14  係止片
15  アース接続部
16  ジャック穴
17  接触片
18  切欠き部
19  内周
20  接触片
【図１】
2005243474.tif 000003
【図２】
2005243474.tif 000004
【図３】
2005243474.tif 000005
【図４】
2005243474.tif 000006
【図５】
2005243474.tif 000007
【図６】
2005243474.tif 000008
【図７】
2005243474.tif 000009
【図８】
2005243474.tif 000010
【図９】
2005243474.tif 000011